【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
画像又は映像の表示コンテンツを、プロジェクタ装置を用いてスクリーンに投影して表示するコンテンツ表示方法であって、
該スクリーンが有する第１の表示コンテンツを含む第３の表示コンテンツを作成するステップと、
該スクリーンに対する該プロジェクタ装置の位置合わせを行うために、該第３の表示コンテンツを、該プロジェクタ装置を用いて該スクリーンに投影するステップと、
その後、予め用意された第２の表示コンテンツを、該プロジェクタ装置を用いて該スクリーンに投影するステップと、
を有することを特徴とするコンテンツ表示方法。
【請求項２】
画像又は映像の表示コンテンツを、プロジェクタ装置を用いてスクリーンに投影して表示するコンテンツ表示方法であって、
予め作成された第２の表示コンテンンツを記憶部に格納しておき、
該スクリーンが有する第１の表示コンテンツを基に作成された第３の表示コンテンツを作成して、該記憶部に格納し、
該スクリーンに対する該プロジェクタ装置の位置合わせを行うときに、該記憶部に格納された該第３の表示コンテンツを読み出して、該プロジェクタ装置を用いて該スクリーンに投影し、
その後、該記憶部に格納された第２の表示コンテンツを読み出して、該プロジェクタ装置を用いて該スクリーンに投影する
ことを特徴とするコンテンツ表示方法。
【請求項３】
前記第３の表示コンテンツは、該第１の表示コンテンツの所定エリアの画像コンテンツを基に作成され、
該プロジェクタ装置は、該第３の表示コンテンツを該所定エリアに投影する
ことを特徴とする請求項１または２記載のコンテンツ表示方法。
【請求項４】
前記スクリーンは、前記第１の表示コンテンツをプリンタで印刷して作成された印刷物、又は前記第１の表示コンテンツを有する立体形状物、又は前記第１の表示コンテンツを有する移動物により構成され、
前記第３の表示コンテンンツは、静止画像であり、
前記第２の表示コンテンンツは、動画又は映像である、
ことを特徴とする請求項１乃至３のいずれかの項記載のコンテンツ表示方法。
【請求項５】
前記第２の表示コンテンツとして複数の表示コンテンツが予め用意され、
時間の経過に伴って該複数の表示コンテンツの中からある表示コンテンツを選択して、該選択された該表示コンテンツを該プロジェクタ装置から該スクリーンに投影する、
ことを特徴とする請求項１乃至４のいずれかの項記載のコンテンツ表示方法。
【請求項６】
該第１の表示コンテンツに、第１の所定エリア及び第２の所定エリアを設定し、
該第１の所定エリアに関係する第２１の表示コンテンツを作成し、該第２の所定エリアに関係する第２２の表示コンテンツを作成し、
第１のプロジェクタ装置から該第２１の表示コンテンツを、該第１所定エリアに対して投影して、
第２のプロジェクタ装置から該第２２の表示コンテンツを、該第２所定エリアに対して投影して、
該第１の表示コンテンツ上に、該第２１の表示コンテンツと、該第２２の表示コンテンツとの合成表示コンテンツを形成すること
を特徴とする請求項１乃至５のいずれかの項記載のコンテンツ表示方法。
【請求項７】
前記第３の表示コンテンツ及び前記第２の表示コンテンツは、１又は複数のレイヤーの画像をレンダリングして作成される画像であること
を特徴とする請求項１乃至６のいずれかの項記載のコンテンツ表示方法。
【手続補正２】
【補正対象書類名】明細書
【補正対象項目名】発明の名称
【補正方法】変更
【補正の内容】
【発明の名称】コンテンツ表示方法
【手続補正３】
【補正対象書類名】明細書
【補正対象項目名】０００７
【補正方法】変更
【補正の内容】
【０００７】
本発明の目的は、スクリーンを形成する画像等の背景表示コンテンツと、背景表示コンテンツ上に投影する画像等の表示コンテンツを両者の関係性を持たせて作成して、作成した表示コンテンツを背景表示コンテンツ上に投影して表示するコンテンツ表示方法を実現することにある。
本発明はまた、複数レイヤーの画像を選択的に合成して投影用の画像ファイルを作成することにより、背景画像に対して投影される画像等の表示コンテンツを立体的に見せることにある。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明に係るコンテンツ表示方法は、好ましくは、画像又は映像の表示コンテンツを、プロジェクタ装置を用いてスクリーンに投影して表示するコンテンツ表示方法であって、
該スクリーンが有する第１の表示コンテンツを含む第３の表示コンテンツを作成するステップと、
該スクリーンに対する該プロジェクタ装置の位置合わせを行うために、該第３の表示コンテンツを、該プロジェクタ装置を用いて該スクリーンに投影するステップと、
その後、予め用意された第２の表示コンテンツを、該プロジェクタ装置を用いて該スクリーンに投影するステップと、を有することを特徴とするコンテンツ表示方法、として構成される。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
本発明によれば、スクリーンを形成する画像等の背景表示コンテンツと、背景表示コンテンツ上に投影する画像等の表示コンテンツを両者の関係性を持たせて作成して、作成した表示コンテンツを背景表示コンテンツ上に投影して表示することが可能である。
また、複数レイヤーの画像を選択的に合成して投影用の画像ファイルを作成することにより、背景画像に対して投影される画像等の表示コンテンツを立体的に見せることができる。
【手続補正１４】
【補正対象書類名】明細書
【補正対象項目名】００３７
【補正方法】変更
【補正の内容】
【００３７】
次に、作業者は入力器１５を操作して、５つのレイヤーのうちからレイヤー（ロ）と（ニ）をステージレイヤーに指定して、レイヤー管理テーブルのステージレイヤーフラグに「１」書き込む（Ｓ６０５，Ｓ６２２）。更に、図９Ａに示すように、ステージレイヤー（ロ）と（ニ）の画像をレンダリング処理（画素の集合の作成）して、ポジションファイルを作成する（Ｓ６０６）。作成されたポジションファイルは記憶部１３に記憶され（Ｓ６０７）、またポジションファイルに付与されたポジションファイル名「Ｐポジション」はコンテンツ管理テーブルに登録される（Ｓ６０８）。このポジションファイルの画像は、プロジェクタ装置１８１によって投影エリアに投影され、背景画像に対する投影画像の位置合わせのために使用される（図１１（Ｐ）参照して後述する）。